(57)【要約】基地局の複数の送信アンテナそれぞれ個別に割り当てられたパイロットパターンごとの複素共役パターンそれぞれと、逆拡散部２２によって得られた受信信号の逆拡散信号（ＩＳＩ，ＩＳＱ）との複素積を算出することにより、分離部２３が、逆拡散信号のパイロットブロックを、複数の送信アンテナごとに分離する。引き続き、分離された信号｛（ＰＬＩ１，ＰＬＱ１），（ＰＬＩ２，ＰＬＱ２）｝を用いて前記複数の送信アンテナそれぞれから送信された信号ごとに遅延プロファイルが生成された後、遅延プロファイル合成部２７がマルチパス選択用遅延プロファイルを合成する。そして、このマルチパス選択用遅延プロファイルに基づいて、マルチパス選択が行われる。したがって、送信ダイバーシチ方式を採用したＤＳ−ＣＤＭＡシステムにおいて、高精度のパスサーチを行うことができる。
2002058265.tif 000002
【特許請求の範囲】
【請求項１】
互いに直交する複数の複素数型のパイロットパターンがそれぞれ割り当てられた複数の送信アンテナから送信され、前記パイロットパターンそれぞれの拡散信号を個別に含む複数の信号を受信して得られた受信信号に基づいてパスサーチを行うパスサーチ方法であって、
前記受信信号を、前記拡散信号の生成に使用された拡散コードに基づいて逆拡散して逆拡散信号を得る逆拡散工程と；
前記逆拡散信号と前記パイロットパターンごとの複素共役パターンそれぞれとの複素積を算出し、前記逆拡散信号のパイロットブロックを前記複数の送信アンテナごとに分離する分離工程と；
前記分離された信号を用いて前記複数の送信アンテナそれぞれから送信された信号ごとに遅延プロファイルを生成する遅延プロファイル生成工程と；
前記生成された遅延プロファイルに基づいて、マルチパス選択用遅延プロファイルを合成する遅延プロファイル合成工程と；
前記マルチパス選択用遅延プロファイルに基づいて、マルチパス選択を行うマルチパス選択工程と；を含むパスサーチ方法。
【請求項２】
請求項１に記載のパスサーチ方法において、
前記パイロットブロックには、個別物理チャンネルの各スロットに含まれる個別パイロットブロックの少なくとも一部が含まれる、ことを特徴とするパスサーチ方法。
【請求項３】
請求項１に記載のパスサーチ方法において、
前記パイロットブロックには、全ての移動局に共通な共通パイロットチャンネルの各スロットに含まれる共通パイロットブロックの少なくとも一部が含まれる、ことを特徴とするパスサーチ方法。
【請求項４】
請求項１に記載のパスサーチ方法において、
前記パイロットブロックには、個別物理チャンネルの各スロットに含まれる個別パイロットブロックの少なくとも一部、及び、全ての移動局に共通な共通パイロットチャンネルの各スロットに含まれる共通パイロットブロックの少なくとも一部が含まれ、
前記個別パイロットブロックを用いた遅延プロファイルの生成と、前記共通パイロットブロックを用いた遅延プロファイルの生成とは時間順次に行われる、ことを特徴とするパスサーチ方法。
【請求項５】
請求項１に記載のパスサーチ方法において、
前記パイロットブロックには、個別物理チャンネルの各スロットに含まれる個別パイロットブロックの少なくとも一部、及び、全ての移動局に共通な共通パイロットチャンネルの各スロットに含まれる共通パイロットブロックの少なくとも一部が含まれ、
前記個別パイロットブロックを用いた遅延プロファイルの生成と、前記共通パイロットブロックを用いた遅延プロファイルの生成とは並行して行われる、ことを特徴とするパスサーチ方法。
【請求項６】
請求項１から５のいずれか一項に記載のパスサーチ方法において、
前記遅延プロファイル生成工程は、
前記分離された信号それぞれのパイロットブロックにおける同相成分及び直交成分ごとに、連続する複数のスロットにわたり、前記パイロットブロックの各シンボル間で互いに対応するサンプル位置の信号値を同相加算する同相加算工程と；
前記同相加算の結果の信号電力を算出する信号電力算出工程と；
前記算出された信号電力について、シンボル周期で信号電力平均を算出する信号電力平均算出工程と；
前記算出された信号電力平均に基づいて、前記遅延プロファイルを生成する遅延プロファイル形状生成工程と；を含み、
前記マルチパス選択工程は、
前記マルチパス選択用遅延プロファイルにおいて所定の閾値以上の電力平均を有するサンプル位置を抽出する抽出工程と；
前記抽出されたサンプル位置からパス位相情報を算出するパス位相算出工程と；を含むことを特徴とするパスサーチ方法。
【請求項７】
請求項１から５のいずれか一項に記載のパスサーチ方法において、
前記遅延プロファイル生成工程は、
前記分離された信号のパイロットブロックそれぞれついて、サンプル位置ごとに信号電力を算出する信号電力算出工程と；
前記算出された信号電力について、連続するスロットにわたり、前記パイロットブロックの各シンボル間で互いに対応するサンプル位置における信号電力平均を算出する信号電力平均算出工程と；
前記算出された信号電力平均に基づいて、前記遅延プロファイルを生成する遅延プロファイル形状生成工程と；を含み、
前記マルチパス選択工程は、
前記マルチパス選択用遅延プロファイルにおいて所定の閾値以上の電力平均を有するサンプル位置を抽出する抽出工程と；
前記抽出されたサンプル位置からパス位相情報を算出するパス位相算出工程と；を含むことを特徴とするパスサーチ方法。
【請求項８】
互いに直交する複数の複素数型のパイロットパターンがそれぞれ割り当てられた複数の送信アンテナそれぞれから互い同期して送信された、前記パイロットパターンそれぞれの拡散信号を個別に含む複数の信号を受信して得られた受信信号に基づいてパスサーチを行うパスサーチ装置であって、
前記受信信号を、前記拡散信号の生成に使用された拡散コードに基づいて逆拡散して逆拡散信号を得る逆拡散手段と；
前記逆拡散信号と前記パイロットパターンごとの複素共役パターンそれぞれとの複素積を算出し、前記逆拡散信号を前記複数の送信アンテナごとに分離する分離手段と；
前記分離された信号を用いて前記複数の送信アンテナそれぞれから送信された信号ごとに遅延プロファイルを生成する遅延プロファイル生成手段と；
前記生成された遅延プロファイルに基づいて、マルチパス選択用遅延プロファイルを合成する遅延プロファイル合成手段と；
前記マルチパス選択用遅延プロファイルに基づいて、マルチパス選択を行うマルチパス選択手段と；を備えるパスサーチ装置。
【請求項９】
請求項８に記載のパスサーチ装置において、
前記遅延プロファイル生成手段は、
前記分離された信号それぞれのパイロットブロックにおける同相成分及び直交成分ごとに、連続する複数のスロットにわたり、前記パイロットブロックの各シンボル間で互いに対応するサンプル位置の信号値を同相加算する同相加算手段と；
前記同相加算の結果の信号電力を算出し、前記算出された信号電力について、シンボル周期で信号電力平均を算出する信号電力平均算出手段と；
前記算出された信号電力平均に基づいて、前記遅延プロファイルを生成する遅延プロファイル形状生成手段と；を備え、
前記マルチパス選択手段は、
前記マルチパス選択用遅延プロファイルにおいて所定の閾値以上の電力平均を有するサンプル位置を抽出する抽出手段と；
前記抽出されたサンプル位置からパス位相情報を算出するパス位相算出手段と；を備えることを特徴とするパスサーチ装置。
【請求項１０】
請求項８に記載のパスサーチ装置において、
前記遅延プロファイル生成手段は、
前記分離された信号のパイロットブロックそれぞれついて、サンプル位置ごとに信号電力を算出する信号電力算出手段と；
前記算出された信号電力について、連続するスロットにわたり、前記パイロットブロックの各シンボル間で互いに対応するサンプル位置における信号電力平均を算出する信号電力平均算出手段と；
前記算出された信号電力平均に基づいて、前記遅延プロファイルを生成する遅延プロファイル形状生成手段と；を備え、
前記マルチパス選択手段は、
前記マルチパス選択用遅延プロファイルにおいて所定の閾値以上の電力平均を有するサンプル位置を抽出する抽出手段と；
前記抽出されたサンプル位置からパス位相情報を算出するパス位相算出手段と；を備えることを特徴とするパスサーチ装置。
【請求項１１】
基地局から送信された信号を受信する受信手段と；
前記受信手段により受信した信号に基づいてパスサーチを行う請求項８から１０のいずれか一項に記載のパスサーチ装置と；を備える移動体通信端末装置。
【発明の詳細な説明】
技術分野
本発明は、パスサーチ方法及びパスサーチ装置、並びに移動体端末装置に係り、より詳しくは、基地局の設置された複数のアンテナから送信された信号を受信した受信信号に基づいてパスサーチを行うパスサーチ方法及びパスサーチ装置、並びに該パスサーチ装置を備える移動体端末装置に関する。
背景技術
近年、移動体通信の分野では、直接拡散符号分割多重アクセス（Ｄｉｒｅｃｔ  Ｓｐｒｅａｄ−Ｃｏｄｅ  Ｄｉｖｉｓｉｏｎ  Ｍｕｌｔｉｐｌｅ  Ａｃｃｅｓｓ：ＤＳ−ＣＤＭＡ）方式を用いて、拡散帯域を５ＭＨｚに広帯域化した広帯域拡散符号分割多重アクセス（Ｗｉｄｅｂａｎｄ−Ｃｏｄｅ  Ｄｉｖｉｓｉｏｎ  Ｍｕｌｔｉｐｌｅ  Ａｃｃｅｓｓ：Ｗ−ＣＤＭＡ）方式が注目を集めている。かかるＤＳ−ＣＤＭＡ方式では、拡散符号を用いて拡散されて基地局から送信された信号は、基地局と携帯電話等の移動局との間の建物や地物により伝搬時間の異なる複数のパス（マルチパス）が生じる環境条件の伝搬路を経由した後に、移動局によって受信される。こうしたマルチパス環境のもとにおける移動局の受信レベルは、移動局が動くことによる到来波同士の干渉によって、そのレベルが激しく変動するフェージング現象が発生する。
こうしたマルチパスフェージングを考慮し、移動局では、各パスについて受信タイミングを検出するいわゆるパスサーチが行われている。そして、このパスサーチの結果に基づいて、受信信号の逆拡散結果をＲＡＫＥ合成して、受信信号に含まれている基地局からの情報を精度良く再現している。
ところで、マルチパス環境下の移動局における受信特性は、移動局に複数の受信アンテナを設けて行われるアンテナダイバーシチ受信によっても改善することができるし、基地局に複数の送信アンテナを設けて行われる送信ダイバーシチによっても改善できることが知られている。こうした移動局におけるアンテナダイバーシチ受信方式と基地局における送信ダイバーシチ方式とを比較した場合、移動局におけるアンテナダイバーシチ受信方式を採用すると移動局における回路構成が必然的に複雑になるが、基地局における送信ダイバーシチ方式を採用したときには、移動局の回路構成を複雑にしないですむことが期待される。このため、Ｗ−ＣＤＭＡにおいては基地局における送信ダイバーシチ方式の適用が鋭意検討されている。
こうした基地局における送信ダイバーシチ方式としては、送信パターンがあらかじめ定められているＰＤ（Ｐｒｅ−ｄｅｔｅｒｍｉｎｅｄ）型と、移動局からの選択情報に基づいた送信パターンで送信するＦＢ（Ｆｅｅｄｂａｃｋ）型とがある。そして、ＰＤ型としては、ＴＳＴＤ（Ｔｉｍｅ  Ｓｗｉｔｃｈｅｄ  Ｔｒａｎｓｍｉｔ  Ｄｉｖｅｒｓｉｔｙ）法、ＯＴＤ（Ｏｒｔｈｏｇｏｎａｌ  Ｔｒａｎｓｍｉｔ  Ｄｉｖｅｒｓｉｔｙ）法、及びＳＴＴＤ（Ｓｐａｃｅ  Ｔｉｍｅ  Ｔｒａｎｓｍｉｔ  Ｄｉｖｅｒｓｉｔｙ）法が提案されている。なお、送信ダイバーシチ方式については、「福元暁他：Ｗ−ＣＤＭＡにおける下りリンク送信ダイバーシチの効果、信学技報ＲＣＳ９９−１２（１９９９−０４）、Ｐ３１−３６」等に記載されている。
以上のような基地局における送信ダイバーシチ方式を採用した場合においても、移動局におけるパスサーチは、相変わらず必要である。しかしながら、基地局における送信ダイバーシチ方式を採用した場合において、移動局の回路構成を複雑にすることなくパスサーチを行う技術については、具体的な提案がなされていないのが現状である。
本発明は、上記の事情のもとでなされたものであり、その第１の目的は、送信ダイバーシチ方式を採用したＤＳ−ＣＤＭＡシステムにおいて、高精度のパスサーチを実現することができるパスサーチ方法及びパスサーチ装置を提供することにある。
また、本発明の第２の目的は、基地局における送信ダイバーシチ方式を採用したＤＳ−ＣＤＭＡシステムにおいて、高精度のパスサーチを行い、品質の高い通信をすることができる移動体端末装置を提供することにある。
発明の開示
本発明は、第１の観点からすると、互いに直交する複数の複素数型のパイロットパターンがそれぞれ割り当てられた複数の送信アンテナから送信され、前記パイロットパターンそれぞれの拡散信号を個別に含む複数の信号を受信して得られた受信信号に基づいてパスサーチを行うパスサーチ方法であって、前記受信信号を、前記拡散信号の生成に使用された拡散コードに基づいて逆拡散して逆拡散信号を得る逆拡散工程と；前記逆拡散信号と前記パイロットパターンごとの複素共役パターンそれぞれとの複素積を算出し、前記逆拡散信号のパイロットブロックを前記複数の送信アンテナごとに分離する分離工程と；前記分離された信号を用いて前記複数の送信アンテナそれぞれから送信された信号ごとに遅延プロファイルを生成する遅延プロファイル生成工程と；前記生成された遅延プロファイルに基づいて、マルチパス選択用遅延プロファイルを合成する遅延プロファイル合成工程と；前記マルチパス選択用遅延プロファイルに基づいて、マルチパス選択を行うマルチパス選択工程と；を含むパスサーチ方法。
このパスサーチ方法では、逆拡散工程において得られた受信信号の逆拡散信号を、分離工程において、複数の送信アンテナそれぞれ個別に割り当てられたパイロットパターンごとの複素共役パターンそれぞれとの複素積を算出することにより、逆拡散信号のパイロットブロックが複数の送信アンテナごとに分離される。引き続き、遅延プロファイル生成工程において、分離された信号を用いて前記複数の送信アンテナそれぞれから送信された信号ごとに、遅延プロファイルが生成される。引き続き、遅延プロファイル合成工程において、生成された遅延プロファイルに基づいて、マルチパス選択用遅延プロファイルが合成される。そして、マルチパス選択工程において、マルチパス選択用遅延プロファイルに基づいて、マルチパス選択が行われる。
したがって、本発明のパスサーチ方法によれば、送信ダイバーシチ方式を採用したＤＳ−ＣＤＭＡシステムにおいて、高精度のパスサーチを行うことができる。
本発明のパスサーチ方法では、前記パイロットブロック（パスサーチに使用されるパイロットブロック）には、（ａ）個別物理チャンネルの各スロットに含まれる個別パイロットブロックの少なくとも一部が含まれることとすることもできるし、また、（ｂ）同一セル内の全ての移動局に共通な共通パイロットチャンネルの各スロットに含まれる共通パイロットブロックの少なくとも一部が含まれることとすることもできる。
また、本発明のパスサーチ方法では、前記パイロットブロックには、個別物理チャンネルの各スロットに含まれる個別パイロットブロックの少なくとも一部、及び、同一セル内の全ての移動局に共通な共通パイロットチャンネルの各スロットに含まれる共通パイロットブロックの少なくとも一部の双方が含まれることとすることができる。
この場合には、（ａ）前記個別パイロットブロックを用いた遅延プロファイルの生成と、前記共通パイロットブロックを用いた遅延プロファイルの生成とは時間順次に行うこともできるし、また、（ｂ）前記個別パイロットブロックを用いた遅延プロファイルの生成と、前記共通パイロットブロックを用いた遅延プロファイルの生成とを並行して行うこともできる。
また、本発明のパスサーチ方法では、前記遅延プロファイル生成工程が、前記分離された信号それぞれの前記パイロットブロックにおける同相成分及び直交成分ごとに、連続する複数のスロットにわたり、前記パイロットブロックの各シンボル間で互いに対応するサンプル位置の信号値を同相加算する同相加算工程と；前記同相加算の結果の信号電力を算出する信号電力算出工程と；前記算出された信号電力について、シンボル周期で信号電力平均を算出する信号電力平均算出工程と；前記算出された信号電力平均に基づいて、前記遅延プロファイルを生成する遅延プロファイル形状生成工程と；を含み、前記マルチパス選択工程は、前記マルチパス選択用遅延プロファイルにおいて所定の閾値以上の電力平均を有するサンプル位置を抽出する抽出工程と；前記抽出されたサンプル位置からパス位相情報を算出するパス位相算出工程と；を含むこととすることができる。
かかる場合には、送信アンテナそれぞれから送信された信号ごとの遅延プロファイルの生成の際に、同相加算工程において、送信アンテナごとに分離された逆拡散信号のパイロットブロックの同相成分及び直交成分ごとに、連続する複数のスロットにわたり、前記パイロットブロックの各シンボル間で互いに対応するサンプル位置の信号値を同相加算する。この結果、背景ノイズや干渉成分を低減することができる。
引き続き、信号電力算出工程において同相加算結果の信号電力を算出した後、信号電力平均算出工程においてシンボル周期で信号電力を算出する。そして、遅延プロファイル形状生成工程において、算出された信号電力平均に基づいて、送信アンテナそれぞれに応じた受信信号の遅延プロファイルが生成される。
こうして精度良く生成された遅延プロファイルに基づいて、遅延プロファイル合成工程において、マルチパス選択用の各アンテナ共通の遅延プロファイルが合成される。そして、マルチパス選択工程において、マルチパス選択用遅延プロファイルにおいて所定の閾値以上の電力平均を有するサンプル位置が抽出され、抽出されたサンプル位置から各アンテナ共通のパス位相情報の算出が行われた後、マルチパス選択が行われる。この結果、非常に高精度のパスサーチを行うことができる。
なお、本発明のパスサーチ方法では、前記遅延プロファイル生成工程が、前記分離された信号のパイロットブロックそれぞれについて、サンプル位置ごとに信号電力を算出する信号電力算出工程と；前記算出された信号電力について、連続する複数のスロットにわたり、前記パイロットブロックの各シンボル間で互いに対応するサンプル位置における信号電力平均を算出する信号電力平均算出工程と；前記算出された信号電力平均に基づいて、前記遅延プロファイルを生成する遅延プロファイル形状生成工程と；を含み、前記マルチパス選択工程が、前記マルチパス選択用遅延プロファイルにおいて所定の閾値以上の電力平均を有するサンプル位置を抽出する抽出工程と；前記抽出されたサンプル位置からパス位相情報を算出するパス位相算出工程と；を含むこととすることもできる。
本発明は、第２の観点からすると、互いに直交する複数の複素数型のパイロットパターンがそれぞれ割り当てられた複数の送信アンテナそれぞれから互い同期して送信された、前記パイロットパターンそれぞれの拡散信号を個別に含む複数の信号を受信して得られた受信信号に基づいてパスサーチを行うパスサーチ装置であって、前記受信信号を、前記拡散信号の生成に使用された拡散コードに基づいて逆拡散して逆拡散信号を得る逆拡散手段と；前記逆拡散信号と前記パイロットパターンごとの複素共役パターンそれぞれとの複素積を算出し、前記逆拡散信号を前記複数の送信アンテナごとに分離する分離手段と；前記分離された信号を用いて前記複数の送信アンテナそれぞれから送信された信号ごとに遅延プロファイルを生成する遅延プロファイル生成手段と；前記生成された遅延プロファイルに基づいて、マルチパス選択用遅延プロファイルを合成する遅延プロファイル合成手段と；前記マルチパス選択用遅延プロファイルに基づいて、マルチパス選択を行うマルチパス選択手段と；を備えるパスサーチ装置である。
このパスサーチ装置では、逆拡散手段によって得られた受信信号の逆拡散信号を、分離手段によって、複数の送信アンテナそれぞれ個別に割り当てられたパイロットパターンごとの複素共役パターンそれぞれとの複素積を算出することにより、逆拡散信号のパイロットブロックが複数の送信アンテナごとに分離される。引き続き、遅延プロファイル生成手段によって、分離された信号を用いて前記複数の送信アンテナそれぞれから送信された信号ごとに、遅延プロファイルが生成される。引き続き、遅延プロファイル合成手段によって、生成された遅延プロファイルに基づいて、マルチパス選択用遅延プロファイルが合成される。そして、マルチパス選択手段によって、マルチパス選択用遅延プロファイルに基づいて、マルチパス選択が行われる。すなわち、本発明のパスサーチ装置では、上述した本発明のパスサーチ方法を使用して、パスサーチが行われる。
したがって、本発明のパスサーチ装置によれば、送信ダイバーシチ方式を採用したＤＳ−ＣＤＭＡシステムにおいて、高精度のパスサーチを行うことができる。
本発明のパスサーチ装置では、前記遅延プロファイル生成手段が、前記分離された信号それぞれのパイロットブロックの同相成分及び直交成分ごとに、連続する複数のスロットにわたり、前記パイロットブロックの各シンボル間で互いに対応するサンプル位置の信号値を同相加算する同相加算手段と；前記同相加算の結果の信号電力を算出し、前記算出された信号電力について、シンボル周期で信号電力平均を算出する信号電力平均算出手段と；前記算出された信号電力平均に基づいて、前記遅延プロファイルを生成する遅延プロファイル形状生成手段と；を備え、前記マルチパス選択手段が、前記マルチパス選択用遅延プロファイルにおいて所定の閾値以上の電力平均を有するサンプル位置を抽出する抽出装置と；前記抽出されたサンプル位置からパス位相情報を算出するパス位相算出手段と；を備える構成とすることができる。
また、本発明のパスサーチ装置では、前記遅延プロファイル生成手段が、前記分離された信号のパイロットブロックそれぞれについて、サンプル位置ごとに信号電力を算出する信号電力算出手段と；前記算出された信号電力について、連続する複数のスロットにわたり、前記パイロットブロックの各シンボル間で互いに対応するサンプル位置における信号電力平均を算出する信号電力平均算出手段と；前記算出された信号電力平均に基づいて、前記遅延プロファイルを生成する遅延プロファイル形状生成手段と；を備え、前記マルチパス選択手段が、前記マルチパス選択用遅延プロファイルにおいて所定の閾値以上の電力平均を有するサンプル位置を抽出する抽出装置と；前記抽出されたサンプル位置からパス位相情報を算出するパス位相算出手段と；を備える構成とすることができる。
本発明は、第３の観点からすると、基地局から送信された信号を受信する受信手段と；前記受信手段により受信した信号に基づいてパスサーチを行う本発明のパスサーチ装置と；を備える移動体通信端末装置である。
これによれば、受信手段により受信された受信信号に基づいて、本発明のパスサーチ装置が高精度のパスサーチを行う。そして、高精度のパスサーチ結果に基づいて、ＲＡＫＥ受信することにより、受信品質を向上することができる。
発明を実施するための最良の形態
《第１の実施形態》
以下、本発明の第１の実施形態を、図面を参照して説明する。
図１に示されるように、本実施形態の移動体通信端末装置としての携帯電話端末１００が使用されるＤＳ−ＣＤＭＡシステムは、基地局ＢＳに２つの送信用アンテナＡ１，Ａ２が設けられており、基地局ＢＳから携帯電話端末１００への送信において、２ブランチの送信ダイバーシチ方式が採用されている。なお、本実施形態においては、送信ダイバーシチ方式として、上述したＳＴＴＤ方式が採用されているものとする。また、本実施形態におけるＤＳ−ＣＤＭＡシステムは、Ｗ−ＣＤＭＡ標準規格に準拠しているものとする。
本実施形態におけるＤＳ−ＣＤＭＡシステムでは、基地局ＢＳから携帯電話端末１００への送信チャネルとして、個別物理チャンネル（ＤＰＣＨ：Ｄｅｄｉｃａｔｅｄ  Ｐｈｙｓｉｃａｌ  Ｃｈａｎｎｅｌ）及び共通パイロットチャンネル（ＣＰＩＣＨ：Ｃｏｍｍｏｎ  Ｐｉｌｏｔ  Ｃｈａｎｎｅｌ）を含む所定のチャンネルが設定されている。なお、個別物理チャンネル自体は、基地局ＢＳと携帯電話端末１００との間における双方向のチャンネルであることから、基地局ＢＳから携帯電話端末１００への送信チャネルとして着目するときには、以下の説明においては、「下り個別物理チャンネル」と呼ぶものとする。
下り個別物理チャンネルを介して基地局ＢＳから携帯電話端末１００へ送信される各無線フレームは、図２に示されるように、１５個のスロットＳｌｏｔｉ（ｉ＝０〜１４）から構成されている。そして、各スロットＳｌｏｔｉは、Ｄａｔａ１フィールド、ＴＰＣフィールド、ＴＦＣＩフィールド、Ｄａｔａ２フィールド、及びＰｉｌｏｔフィールドから構成されている。このＰｉｌｏｔフィールドにおいて伝送されるパイロットシンボルセットを「個別パイロットブロックＤＰＢ」と呼ぶものとする。また、このパイロットシンボルセットのパターンを、「個別パイロットパターンＤＰＬ」と呼ぶものとする。なお、スロットＳｌｏｔｉにおける個別パイロットブロックＤＰＢを個別に指すときには、「個別パイロットブロックＤＰＢｉ」と記すものとする。また、スロットＳｌｏｔｉにおける個別パイロットパターンＤＰＬを個別に指すときには、「個別パイロットパターンＤＰＬｉ」と記すものとする。
こうした下り個別物理チャンネルを介した無線フレームが、ＳＴＴＤ方式の送信ダイバーシチが適用されて、基地局から送信される場合には、図３に示されるようなＳＴＴＤ方式における一般的なアンテナ別変調が施された後、同一の拡散符号で拡散されて、同時に送信される。
かかるアンテナ別変調においては、図３に示されるように、スロットＳｌｏｔｉを構成するシンボル列Ｓ０，Ｓ１，…の各複素型シンボルＳｍ（＝ｂ２ｍ＋ｊ・ｂ２ｍ＋１；ｂＸはビット、ｊは虚数単位、ｍ＝０，１，…）が、アンテナＡ１用には変調されない。一方、アンテナＡ２用には、原シンボル対（Ｓ２ｎ，Ｓ２ｎ＋１；ｎ＝１，…）をシンボル対（−Ｓ２ｎ＋１＊，Ｓ２ｎ＊）とする変調が行われる。この結果、アンテナＡ１から送信されるシンボル列のパターンと、アンテナＡ２から送信されるシンボル列のパターンとは、互いに直交したものとなる。
なお、下り個別物理チャンネルにおける個別パイロットブロックに対しては、ＳＴＴＤ方式の送信ダイバーシチはそのままの態様では適用されないが、アンテナＡ１から送信される個別パイロットブロックのシンボル列と、アンテナＡ２から送信される個別パイロットブロックのシンボル列とは、互いに直交したものとなっている。
共通パイロットチャンネルを介して基地局ＢＳから携帯電話端末１００へ送信される各無線フレームは、図４に示されるように、１５個のスロットＳｌｏｔｉ（ｉ＝０〜１４）から構成されている。これらのスロットＳｌｏｔｉ（ｉ＝０〜１４）内フィールドに伝送されるパイロットシンボルセットを「共通パイロットブロックＣＰＢ」と呼ぶものとする。なお、スロットＳｌｏｔｉにおける共通パイロットブロックＣＰＢを個別に指すときには、「共通パイロットブロックＣＰＢｉ」と記すものとする。
本実施形態では、個別パイロットブロックＤＰＢ、又は、個別パイロットブロックＤＰＢと同一のスロット内位置及びシンボル数の共通パイロットブロックＣＰＢの一部（以下、「部分共通パイロットブロックＰＣＢ」という）を使用して、後述するパスサーチを行っている。なお、スロットＳｌｏｔｉにおける部分共通パイロットブロックＰＣＢを個別に指すときには、「部分共通パイロットブロックＰＣＢｉ」と記すものとする。また、部分共通パイロットブロックＰＣＢにおいて伝送されるパイロットシンボルセットのパターンを、「部分共通パイロットパターンＰＣＰ」と呼ぶものとする。なお、スロットＳｌｏｔｉにおける部分共通パイロットパターンＰＣＰを個別に指すときには、「部分共通パイロットパターンＰＣＰｉ」と記すものとする。
こうした共通パイロットチャンネルを介した無線フレームが、送信ダイバーシチが適用されて、基地局から送信される場合には、図５に示されるような互いに直交するパターンが、同一の拡散符号で拡散されて、同時に送信される。なお、Ｗ−ＣＤＭＡ標準規格においては、基地局が採用する送信ダイバーシチの方式がＳＴＴＤ方式であるか否かにかかわらず、図５に示されるアンテナＡ１用の共通パイロットチャンネルの送信パイロットパターン及びアンテナＡ２用の共通パイロットチャンネルパターンの送信パイロットパターンが、基地局ＢＳから送信されるようになっている。
前記携帯電話端末１００は、図６に示されるように、アンテナ８１、該アンテナ８１に接続された送受信切換器（デュプレクサ：ＤＵＰ）８２、送受信切換器８２に接続された無線周波数受信処理部８３及び無線周波数送信処理部８４、並びに無線周波数受信処理部８３及び無線周波数送信処理部８４に接続されたベースバンド信号処理部８５を備えている。
前記送受信切換器８２は、無線周波数送信処理部８４からアンテナ８１へ向かう送信信号に関連する電流と、アンテナ８１から無線周波数受信処理部８３へ向かう受信信号に関連する電流とを分離する。この送受信切換器８２により送信信号と受信信号との混信が防止されるようになっている。
前記無線周波数受信処理部８３は、受信周波数シンセサイザ、受信信号の周波数を変換するミキサ、ＱＰＳＫ（Ｑｕａｄｒａｔｕｒｅ  Ｐｈａｓｅ  Ｓｈｉｆｔ  Ｋｅｙｉｎｇ）検波を行う直交検波部、並びに適宜配置された増幅器及びフィルタ類（いずれも不図示）から構成されている。こうした無線周波数受信処理部８３の構成は周知であるので、詳しい説明は省略する。この無線周波数受信処理部８３は、受信された無線周波数の受信信号をベースバンド受信信号ＲＳに変換して、ベースバンド信号処理部８５に供給する。なお、ベースバンド受信信号ＲＳは同相成分（Ｉ成分）ＲＳＩ及び直交成分（Ｑ成分）ＲＳＱの２種の信号から成る複素型の信号となっている。
前記無線周波数送信処理部８４は、ＱＰＳＫ変調を行う直交変調部（ＱＰＭ）、送信信号の周波数を無線周波数に変換するミキサ、送信周波数シンセサイザ、並びに適宜配置された増幅器及びフィルタ類（いずれも不図示）から構成されている。こうした無線周波数送信処理部８４の構成は周知であるので、詳しい説明は省略する。この無線周波数送信処理部８４は、ベースバンド信号処理部８５から供給された制御信号ＣＳ，ＤＴに従って、やはりベースバンド信号処理部８５から供給されたベースバンド送信信号ＴＳを無線周波数の信号に変換する。なお、ベースバンド送信信号ＴＳも、上述したベースバンド受信信号ＲＳと同様に、同相成分（Ｉ成分）及び直交成分（Ｑ成分）を有する複素型の信号となっている。
また、携帯電話端末１００は、ベースバンド信号処理部８５と接続された、マイクロプロセッサユニット（ＭＰＵ）８６、デジタル信号処理装置（ＤＳＰ：Ｄｉｇｉｔａｌ  Ｓｉｇｎａｌ  Ｐｒｏｃｅｓｓｏｒ）８７、及びコーダ／デコーダ（ＣＯＤＥＣ）８８を備えている。
前記ＭＰＵ８６は、携帯電話端末１００全体を統括制御する。このＭＰＵ８６には、キーボード等の入力装置９２及び液晶ディスプレイ等の表示装置９１が接続されている。携帯電話端末１００の使用者が入力装置９２を操作して入力したデータ等がＭＰＵ８６に通知されると、ＭＰＵ８６は、通知されたデータの種類に応じて、そのデータ内容を表示装置９１に表示したり、ベースバンド信号処理部８５に供給したりするようになっている。例えば、入力装置９２が操作されて通信相手の電話番号データが通知されたときには、ＭＰＵ８６は、操作者の確認用に表示装置９１に、入力された電話番号を表示する。この後、発呼要求が入力装置９２を介して通知されると、ＭＰＵ８６は、通信先の電話番号データを適切なタイミングでベースバンド信号処理部８５に供給する。
前記ＤＳＰ８７は、ＭＰＵ８６による管理のもとで、ベースバンド信号処理部８５におけるデジタル信号に関する各種の信号処理を行う。
前記ＣＯＤＥＣ８８は、ベースバンド信号処理部８５とＣＯＤＥＣ８８に接続されたスピーカ９３及びマイク９４との間において、音声信号の符号化及び音声信号への復号化を行う。すなわち、ベースバンド信号処理部８５から出力されたデジタル符号化された音声データは、ＣＯＤＥＣ８８によってアナログ音声信号に変換され、スピーカ９３により音声に再生される。また、マイク９４を介して入力した音声は、ＣＯＤＥＣ８８によってデジタル符号化された後、送信音声データとしてベースバンド信号処理部８５に供給される。
前記ベースバンド信号処理部８５は、図７に示されるように、無線周波数受信処理部８３から供給されたベースバンド受信信号ＲＳの処理のために、アナログ／デジタル（Ａ／Ｄ）変換部１、セルサーチ部（ＣＳＲ）２、パスサーチ部（ＰＳＲ）３、コントロールチャンネル受信部（ＢＣＨＲＲ）４、トラフィックチャンネル受信部（ＴＣＨＲＲ）６、及び受信バッファ（ＲＢＵＦ）５を備えている。また、無線周波数送信処理部８４へ供給するベースバンド送信信号ＴＳの作成のために、送信バッファ（ＴＢＵＦ）９、送信部（ＴＲ）８、及び送信ロールオフフィルタ（ＲＮＦ）７を備えている。さらに、無線周波数送信処理部８４の動作を制御するための送信制御部（ＲＦＣ）１０、及び、ベースバンド信号処理部８５全体を制御するための制御部（ＣＴＲＬ１）１１を備えている。
前記Ａ／Ｄ変換部１は、ベースバンド受信信号ＲＳのＩ成分信号（以下、「信号ＲＳＩ」と呼ぶ）用のＡ／Ｄ変換器、及び、ベースバンド受信信号ＲＳのＱ成分信号（以下、「信号ＲＳＱ」と呼ぶ）用のＡ／Ｄ変換器を有している。Ａ／Ｄ変換部１によるベースバンド受信信号ＲＳの変換結果のデジタル信号ＲＳＤは、セルサーチ部２、パスサーチ部３、コントロールチャンネル受信部４、及びトラフィックチャンネル受信部６に供給される。
なお、以下の説明においては、Ａ／Ｄ変換部１による信号ＲＳＩのＡ／Ｄ変換結果を「Ｉ成分受信信号ＲＤＩ」と呼ぶとともに、Ａ／Ｄ変換部１による信号ＲＳＱのＡ／Ｄ変換結果を「Ｑ成分受信信号ＲＤＱ」と呼ぶものとする。また、Ｉ成分受信信号ＲＤＩ及びＱ成分受信信号ＲＤＱを総称するときには、「受信信号ＲＳＤ」と記すものとする。
前記セルサーチ部２は、受信した受信信号ＲＳＤのうちの第１同期チャンネル（Ｐ−ＳＣＨ）、第２同期チャンネル（Ｓ−ＳＣＨ）、及び共通パイロットチャンネル（ＣＰＩＣＨ）を介した受信信号成分の所定の拡散符号との相関算出結果に基づいて、無線リンクを接続すべき基地局の下りリンクについてのスロット同期タイミング及びフレーム同期タイミングを抽出するいわゆる初期同期抽出を行う。こうしたスロット同期タイミング及びフレーム同期タイミングを抽出の後、無線リンクを接続すべき基地局が使用しているスクランブルコードを特定する。セルサーチ部２は、上記の相関算出のために、マッチトフィルタ又は複数の相関演算器を備えている。なお、セルサーチ部２は、初期同期抽出を必須とする初期セルサーチ以外に、ソフトハンドオーバのための周辺セルサーチも行うようになっている。
セルサーチ部２によって抽出されたスロット同期タイミング及びフレーム同期タイミングは、パスサーチ部３、コントロールチャンネル受信部４、及びトラフィックチャンネル受信部６に供給される。また、セルサーチ部２によって特定されたスクランブルコードは、ＭＰＵバスＢ２及びＭＰＵインターフェース１２を介してＭＰＵ８６に通知される。なお、図７においては、抽出されたスロット同期タイミング及びフレーム同期タイミングを「ＣＴＲＬＳ２」と記している。
前記パスサーチ部３は、セルサーチ部２による初期セルサーチの後に、受信信号ＲＳＤとの同期のタイミングＣＴＲＬＳ２（フレーム同期タイミング等）に基づいて、基地局ＢＳから携帯電話端末１００までの信号伝搬においていわゆるマルチパス現象が生じたときに、パス間の位相差を特定する。このパスサーチ部３の構成については、後述する。
前記制御チャンネル受信部４は、携帯電話端末１００に対する種々の制御のために、基地局から送信された制御データを受信信号ＲＳＤから抽出して復調する。かかる制御データの抽出のために、スクランブルコード（拡散符号）による逆拡散、同期検波、及びＲＡＫＥ合成が行われる。このため、制御チャンネル受信部４は、スライディング相関器、同期検波器、及びＲＡＫＥ合成器（いずれも不図示）を備えている。このように構成された制御チャンネル受信部４では、抽出されて復調された制御データ（以下、「復調制御データ」と呼ぶ）を受信バッファ５へ向けて送出する。こうして受信バッファ５に一旦蓄積された復調制御データは、ＭＰＵバスＢ２及びＭＰＵインターフェース１２を介してＭＰＵ８６に通知される。
前記トラフィックチャンネル受信部６は、基地局から送信されたトラフィックチャンネルのデータを抽出して復調する。かかるトラフィックチャンネル信号の抽出のために、スクランブルコード（拡散符号）による逆拡散、同期検波、及びＲＡＫＥ合成が行われる。このため、トラフィックチャンネル受信部６は、スライディング相関器、同期検波器、及びＲＡＫＥ合成器（いずれも不図示）を備えている。このように構成されたトラフィックチャンネル受信部６は、抽出されて復調されたデータ（以下、「復調データ」と呼ぶ）を受信バッファ５へ向けて送出する。こうして受信バッファ５に一旦蓄積された復調データは、ＭＰＵバスＢ２及びＭＰＵインターフェース１２を介してＭＰＵ８６に供給されたり、所定の信号処理のために、ＤＳＰバスＢ１及びＤＳＰインターフェース１３を介してＤＳＰ８７に供給されるようになっている。
前記送信部８は、ＭＰＵ８６及びＣＯＤＥＣ８８からＭＰＵバスＢ２を介して送信バッファ９に一旦蓄積されたデータ、又は、ＤＳＰ８７からＤＳＰバスＢ１を介して送信バッファ９に一旦蓄積されたデータに拡散符号を乗じた送信信号を生成する。このため、送信部８は、送信データと所定の拡散符号との乗算を行う演算器を備えている。送信部８で生成された送信信号は、送信ロールオフフィルタ７により波形が整形された後、無線周波数送信処理部８４に供給される。
前記制御部ＲＦＣは、ＭＰＵインターフェース１２及びＭＰＵバスを介したＭＰＵ８６の指令に応じて、無線周波数送信処理部８４の動作を制御する制御信号ＣＳ，ＤＴを無線周波数送信処理部８４へ向けて送出する。
前記制御部ＣＴＲＬ１は、ＭＰＵインターフェース１２及びＭＰＵバスを介したＭＰＵ８６の指令に応じて、携帯電話端末１００内における、上述した以外の制御を行うようになっている。
前記パスサーチ部３は、図８に示されるように、（ａ）Ａ／Ｄ変換部１から出力された受信信号ＲＳＤ（ＲＤＩ，ＲＤＱ）を一旦蓄積する入力バッファ２１と、（ｂ）入力バッファ２１から出力されたＩ成分受信信号ＲＤＩ及びＱ成分受信信号ＲＤＱをそれぞれ個別に逆拡散する逆拡散部２２と、（ｃ）逆拡散部２２から出力されたＩ成分逆拡散信号ＩＳＩ及びＱ成分逆拡散信号ＩＳＱのパイロットブロックにおける基地局ＢＳのアンテナＡ１，Ａ２それぞれに固有に対応するパイロットパターンの変調成分を除去するとともに、アンテナＡ１に対応するＩ成分信号ＰＬＩ１及びＱ成分信号ＰＬＱ１、並びにアンテナＡ２に対応するＩ成分信号ＰＬＩ２及びＱ成分信号ＰＬＱ２を出力する同相化部２３とを備えている。
また、パスサーチ部３は、（ｄ）Ｉ成分信号ＰＬＩ１及びＱ成分信号ＰＬＱ１それぞれについて、シンボル周期で同相加算する同相加算器２４１、及び、Ｉ成分信号ＰＬＩ２及びＱ成分信号ＰＬＱ２それぞれについて、シンボル周期で同相加算する同相加算器２４２と、（ｅ）同相加算器２４１による同相加算結果の信号電力平均を算出する電力平均算出器２５１、及び、同相加算器２４２による同相加算結果の信号電力平均を算出する電力平均算出器２５２と、（ｆ）電力平均算出器２５１による算出結果を格納するメモリ２６１、及び、電力平均算出器２５２による算出結果を格納するメモリ２６２を有する遅延プロファイル生成部２６と、（ｇ）遅延プロファイル生成部２６により生成されたアンテナＡ１，Ａ２ごとの遅延プロファイルに基づいて、マルチパス選択用遅延プロファイルを合成する遅延プロファイル合成部２７とを更に備えている。
なお、マルチパス選択用遅延プロファイルに基づくＲＡＫＥ合成すべきマルチパスの選択は、本実施形態においては、ＭＰＵ８６によって行われるようになっている。
なお、パスサーチ部３には、不図示の基本クロック発生部が発生した基準タイミング及びセルサーチ部２が発生した同期タイミングＣＴＲＬＳ２が入力している。そして、パスサーチ部３は、これらのタイミングを利用して、フレーム境界、スロット境界、及びパイロットブロック位置を特定しながら、パスサーチ動作を行うようになっている。
前記逆拡散部２２は、図９に示されるように、マッチトフィルタ（ＭＦ）３１と、共通パイロット用の逆拡散用符号を発生する符号発生器３３Ｃと、個別パイロット用の逆拡散用符号を発生する符号発生器３３Ｄとを備えている。符号発生器３３Ｃが発生した共通パイロット用の逆拡散用符号のＩ成分ＣＳＣＩ及びＱ成分ＣＳＣＱから成る信号対（ＣＳＣＩ，ＣＳＣＱ）と、符号発生器３３Ｄが発生した個別パイロット用の逆拡散用符号のＩ成分ＤＳＣＩ及びＱ成分ＤＳＣＱから成る信号対（ＤＳＣＩ，ＤＳＣＱ）とは、マルチプレクサ３２に入力している。そして、ＭＰＵ８６がＭＰＵインターフェース１２及びＭＰＵバスＢ２を介して発行した選択指令信号ＳＭＣに従って、マルチプレクサ３２から信号対（ＣＳＣＩ，ＣＳＣＱ）又は信号対（ＤＳＣＩ，ＤＳＣＱ）の一方の信号対が、選択逆拡散用信号対（ＳＳＣＩ，ＳＳＣＱ）として、マッチトフィルタ３１に供給されるようになっている。
以上のように構成された逆拡散部２２では、受信信号対（ＲＤＩ，ＲＤＱ）が、ＭＰＵ８６の指令に応じてマルチプレクサ３２により選択された選択逆拡散用信号対（ＳＳＣＩ，ＳＳＣＱ）によって逆拡散される。この逆拡散結果として、逆拡散信号対（ＩＳＩ，ＩＳＱ）が逆拡散部２２から出力される。
前記同相化部２３は、図１０に示されるように、基地局ＢＳのアンテナＡ１から送信されたパイロットブロックを抽出する第１信号抽出部２３１と、ＳＴＴＤ方式においてアンテナＡ２用から送信されたパイロットブロックを抽出する第２信号抽出部２３２とから構成されている。
前記第１信号抽出部２３１は、複素積演算部４１１と、アンテナＡ１から送信された共通パイロットのアンテナ別変調符号の複素共役符号のＩ成分ＣＣＰＩ１及びＱ成分ＣＣＰＱ１から成る信号対（ＣＣＰＩ１，ＣＣＰＱ１）を発生する符号発生器４３Ｃ１と、アンテナＡ１から送信された個別パイロット用のアンテナ別変調符号の複素共役符号のＩ成分ＤＣＰＩ１及びＱ成分ＤＣＰＱ１から成る信号対（ＤＣＰＩ１，ＤＣＰＱ１）を発生する符号発生器４３Ｄ１とを備えている。符号発生器４３Ｃ１が発生した信号対（ＣＣＰＩ１，ＣＣＰＱ１）と、符号発生器４３Ｄ１が発生した信号対（ＤＣＰＩ１，ＤＣＰＱ１）とは、マルチプレクサ４２１に入力している。そして、ＭＰＵ８６が発行した選択指令信号ＳＭＣに従って、マルチプレクサ４２１から信号対（ＣＣＰＩ１，ＣＣＰＱ１）又は信号対（ＤＣＰＩ１，ＤＣＰＱ１）の一方の信号対が、第１選択用信号対（ＳＣＰＩ１，ＳＣＰＱ１）として、複素積演算部４１１に供給されるようになっている。
以上のように構成された第１信号抽出部２３１では、逆拡散信号対（ＩＳＩ，ＩＳＱ）と、ＭＰＵ８６の指令に応じてマルチプレクサ４２１により選択された第１選択信号対（ＳＣＰＩ１，ＳＣＰＱ１）との複素積和が演算されることにより、アンテナＡ１から送信されたパイロットブロックが抽出されるようになっている。こうして演算されたアンテナＡ１に応じた信号対（ＰＬＩ１，ＰＬＱ１）が、第１信号抽出部２３１から出力される。
前記第２信号抽出部２３２は、上述の第１信号抽出部２３１と同様に構成されている。すなわち、第２信号抽出部２３２は、複素積演算部４１２と、アンテナＡ２から送信された共通パイロットのアンテナ別変調符号の複素共役符号のＩ成分ＣＣＰＩ２及びＱ成分ＣＣＰＱ２から成る信号対（ＣＣＰＩ２，ＣＣＰＱ２）を発生する符号発生器４３Ｃ２と、アンテナＡ２から送信された個別パイロット用のアンテナ別変調符号の複素共役符号のＩ成分ＤＣＰＩ２及びＱ成分ＤＣＰＱ２から成る信号対（ＤＣＰＩ２，ＤＣＰＱ２）を発生する符号発生器４３Ｄ２とを備えている。そして、ＭＰＵ８６が発行した選択指令信号ＳＭＣに従って、マルチプレクサ４２２から信号対（ＣＣＰＩ２，ＣＣＰＱ２）又は信号対（ＤＣＰＩ２，ＤＣＰＱ２）の一方の信号対が、第２選択用信号対（ＳＣＰＩ２，ＳＣＰＱ２）として、複素積演算部４１２に供給されるようになっている。
以上のように構成された第２信号抽出部２３２では、逆拡散信号対（ＩＳＩ，ＩＳＱ）と、ＭＰＵ８６の指令に応じてマルチプレクサ４２２により選択された第２選択信号対（ＳＣＰＩ２，ＳＣＰＱ２）との複素積和が演算されることにより、アンテナＡ２から送信されたパイロットブロックが抽出されるようになっている。こうして演算されたアンテナＡ２に応じた信号対（ＰＬＩ２，ＰＬＱ２）が、第２信号抽出部２３２から出力される。
以上のように構成されたパスサーチ部３は、ＭＰＵ８６の制御のもとで、以下のようにしてパスサーチを行う。
前提として、携帯電話端末１００の電源投入後におけるセルサーチ部２によるセルサーチ動作は終了しているものとする。そして、パスサーチ部３には、セルサーチ部２から無線リンクを接続すべき基地局の下りリンクについてのスロット同期タイミング及びフレーム同期タイミングが供給されているものとする。
まず、部分共通パイロットブロックＰＣＢに着目したパスサーチ動作について説明する。かかる部分共通パイロットブロックＰＣＢに着目したパスサーチを行うときには、ＭＰＵ８６が、ＭＰＵインターフェース１２及びＭＰＵバスＢ２を介して、選択指令信号ＳＭＣにより、部分共通パイロットブロックＰＣＢによるパスサーチを行うべき旨を上述した逆拡散部２２及び同相化部２３へ向けて通知する。この結果、逆拡散部２２では、マルチプレクサ３２によって部分共通パイロット用の逆拡散用符号（すなわち、拡散に使用された拡散符号）信号対（ＣＳＣＩ，ＣＳＣＱ）がマッチトフィルタ３１に供給される。また、同相化部２３における第１信号抽出部２３１では、マルチプレクサ４２１によって部分共通パイロット用の信号対（ＣＣＰＩ１，ＣＣＰＱ１）が複素積演算部４１１に供給される。また、同相化部２３における第２信号抽出部２３２では、マルチプレクサ４２２によって部分共通パイロット用の信号対（ＣＣＰＩ２，ＣＣＰＱ２）が複素積演算部４１２に供給される。
この状態で、パスサーチ部３に受信信号対（ＲＤＩ，ＲＤＱ）が入力すると、まず、入力バッファ２１に受信信号対（ＲＤＩ，ＲＤＱ）が一時的に蓄積される。この入力バッファ２１から出力された受信信号対（ＲＤＩ，ＲＤＱ）を逆拡散部２２が受信すると、逆拡散部２２では、基準タイミングやセルサーチ部２から供給された制御信号ＣＴＲＬＳ２（スロット同期タイミング、フレーム同期タイミング）を使用して、受信信号対（ＲＤＩ，ＲＤＱ）と逆拡散用符号信号対（ＣＳＣＩ，ＣＳＣＱ）との相関がマッチトフィルタ３１により算出される。そして、相関算出結果が、逆拡散信号対（ＩＳＩ，ＩＳＱ）として、逆拡散部２２から同相化部２３へ向けて出力される。
逆拡散信号対（ＩＳＩ，ＩＳＱ）を受信した同相化部２３では、逆拡散信号対（ＩＳＩ，ＩＳＱ）と信号対（ＣＣＰＩ１，ＣＣＰＱ１）との複素積和が、複素積演算部２３１において算出される。こうして、アンテナＡ１用に処理された結果が、信号対（ＰＬＩ１，ＰＬＱ１）として、第１信号抽出部２３１から同相加算部２４１へ向けて出力される。
一方、同相化部２３では、逆拡散信号対（ＩＳＩ，ＩＳＱ）と信号対（ＣＣＰＩ２，ＣＣＰＱ２）との複素積和が、複素積演算部２３２において算出される。こうして、アンテナＡ２用に処理された結果が、信号対（ＰＬＩ２，ＰＬＱ２）として、第２信号抽出部２３２から同相加算部２４２へ向けて出力される。
信号対（ＰＬＩ１，ＰＬＱ１）を受信した同相加算部２４１では、同相（Ｉ）成分信号ＰＬＩ１及び直交（Ｑ）成分信号ＰＬＱ１）ごとに、複数のスロットにわたってシンボル周期で同相加算する。例えば、図１１に示されるように、連続する４スロット（Ｓｌｏｔｋ−２，Ｓｌｏｔｋ−１，Ｓｌｏｔｋ，Ｓｌｏｔｋ＋１）において、相前後する２スロット（Ｓｌｏｔｋ−２，Ｓｌｏｔｋ−１）と２スロット（Ｓｌｏｔｋ，Ｓｌｏｔｋ＋１）とのそれぞれで、Ｉ成分信号ＰＬＩ１及びＱ成分信号ＰＬＱ１ごとにシンボル周期で同相加算する。すなわち、２つの部分共通パイロットブロック（ＰＣＢｋ−２，ＰＣＢｋ−１）について、Ｉ成分信号ＰＬＩ１及びＱ成分信号ＰＬＱ１ごとにシンボル周期で同相加算するとともに、２つの部分共通パイロットブロック（ＰＣＢｋ，ＰＣＢｋ＋１）について、Ｉ成分信号ＰＬＩ１及びＱ成分信号ＰＬＱ１ごとにシンボル周期で同相加算する。
一方、信号対（ＰＬＩ２，ＰＬＱ２）を受信した同相加算部２４２では、同相加算部２４２と同様に、Ｉ成分信号ＰＬＩ２及びＱ成分信号ＰＬＱ２ごとに、複数のスロットにわたってシンボル周期で同相加算する。
同相加算部２４１による同相加算結果は、電力平均算出器２５１に供給される。また、同相加算部２４２による同相加算結果は、電力平均算出器２５２に供給される。
電力平均算出器２５１では、まず、受信した同相加算結果のＩ成分ＩＡＩ１及びＱ成分ＩＡＱ１から信号電力を算出する。そして、電力平均算出器２５１は、算出された信号電力をシンボル周期で巡回積分することにより、シンボル周期で対応するサンプル信号の信号電力平均を算出する。例えば、図１１に示されるような、４スロット分の信号電力平均（ＡＶＰ）を算出する。そして、算出された信号電力平均ＡＶＰ１は、電力平均算出器２５１から遅延プロファイル生成部２６のメモリ２６１へ向けて出力される。
一方、電力平均算出器２５２では、電力平均算出器２５１と同様に、受信した同相加算結果のＩ成分ＩＡＩ２及びＱ成分ＩＡＱ２から信号電力を算出した後、シンボル周期で対応するサンプル信号の信号電力平均を算出する。そして、算出された信号電力平均ＡＶＰ２は、電力平均算出器２５２から遅延プロファイル生成部２６のメモリ２６２へ向けて出力される。
遅延プロファイル生成部２６では、メモリ２６１に時間順次にサンプル信号の信号電力平均ＡＶＰ１を格納することにより、アンテナＡ１から送信された信号に応じた受信信号の遅延プロファイルＤＰＦ１を生成する。また、遅延プロファイル生成部２６では、メモリ２６２に時間順次にサンプル信号の信号電力平均ＡＶＰ２を格納することにより、アンテナＡ２から送信された信号に応じた受信信号の遅延プロファイルＤＰＦ２を生成する。
以上のようにして生成されたアンテナＡ１及びアンテナＡ２についての遅延プロファイルＤＰＦ１，ＤＰＦ２に基づいて、遅延プロファイル合成部２７が、マルチパス選択用の各アンテナ共通の遅延プロファイルを合成する。そして、遅延プロファイル合成部２７は、マルチパス選択用遅延プロファイルをＭＰＵバスＢ２及びＭＰＵインターフェース１２を介してＭＰＵ８６に報告する。
そして、ＭＰＵ８６は、マルチパス選択用遅延プロファイルにおいて所定の閾値以上の電力平均を有するサンプル位置を抽出し、抽出されたサンプル位置から各アンテナ共通のパス位相情報を算出した後、マルチパス選択を行う。こうして、ＭＰＵ８６は、ＲＡＫＥ合成をすべきマルチパス（すなわち、マルチパスのタイミング）を求める。
以後、ＭＰＵ８６が、求められたマルチパスを、制御チャンネル受信部４及びトラフィックチャンネル受信部６に、ＲＡＫＥ合成すべきマルチパスとして通知する。そして、制御チャンネル受信部４及びトラフィックチャンネル受信部６では、通知されたマルチパスに応じたタイミングで受信した信号のＲＡＫＥ合成を行う。
次に、個別パイロットブロックＤＰＢに着目したパスサーチ動作について説明する。かかる個別パイロットブロックＤＰＢに着目したパスサーチを行うときには、ＭＰＵ８６が、ＭＰＵインターフェース１２及びＭＰＵバスＢ２を介して、選択指令信号ＳＭＣにより、個別パイロットブロックＤＰＢによるパスサーチを行うべき旨を逆拡散部２２及び同相化部２３へ向けて通知する。この結果、逆拡散部２２では、マルチプレクサ３２によって個別パイロット用の拡散符号信号対（ＤＳＣＩ，ＤＳＣＱ）がマッチトフィルタ３１に供給される。また、同相化部２３における第１信号抽出部２３１では、マルチプレクサ４２１によって個別パイロット用の信号対（ＤＣＰＩ１，ＤＣＰＱ１）が複素積演算部４１１に供給される。また、同相化部２３における第２信号抽出部２３２では、マルチプレクサ４２２によって個別パイロット用の信号対（ＤＣＰＩ２，ＤＣＰＱ２）が複素積演算部４１２に供給される。
この状態で、パスサーチ部３に受信信号対（ＲＤＩ，ＲＤＱ）が入力すると、まず、入力バッファ２１に受信信号対（ＲＤＩ，ＲＤＱ）が一時的に蓄積される。この入力バッファ２１から出力された受信信号対（ＲＤＩ，ＲＤＱ）を逆拡散部２２が受信すると、逆拡散部２２では、基準タイミングやセルサーチ部２から供給された制御信号ＣＴＲＬＳ２（スロット同期タイミング、フレーム同期タイミング）を使用して、受信信号対（ＲＤＩ，ＲＤＱ）と逆拡散用符号信号対（ＤＳＣＩ，ＤＳＣＱ）との相関がマッチトフィルタ３１により算出される。そして、相関算出結果が、逆拡散信号対（ＩＳＩ，ＩＳＱ）として、逆拡散部２２から同相化部２３へ向けて出力される。
逆拡散信号対（ＩＳＩ，ＩＳＱ）を受信した同相化部２３では、逆拡散信号対（ＩＳＩ，ＩＳＱ）と信号対（ＤＣＰＩ１，ＤＣＰＱ１）との複素積が、複素積演算部２３１において算出される。こうして、アンテナＡ１用に処理された結果が、信号対（ＰＬＩ１，ＰＬＱ１）として、第１信号抽出部２３１から同相加算部２４１へ向けて出力される。
一方、同相化部２３では、逆拡散信号対（ＩＳＩ，ＩＳＱ）と信号対（ＤＣＰＩ２，ＤＣＰＱ２）との複素積が、複素積演算部２３２において算出される。こうして、アンテナＡ２用に処理された結果が、信号対（ＰＬＩ２，ＰＬＱ２）として、第２信号抽出部２３２から同相加算部２４２へ向けて出力される。
信号対（ＰＬＩ１，ＰＬＱ１）を受信した同相加算部２４１では、同相（Ｉ）成分信号ＰＬＩ１及び直交（Ｑ）成分信号ＰＬＱ１ごとに、複数のスロットにわたってシンボル周期で同相加算する。例えば、図１２に示されるように、連続する４スロット（Ｓｌｏｔｋ−２，Ｓｌｏｔｋ−１，Ｓｌｏｔｋ，Ｓｌｏｔｋ＋１）において、相前後する２スロット（Ｓｌｏｔｋ−２，Ｓｌｏｔｋ−１）と２スロット（Ｓｌｏｔｋ，Ｓｌｏｔｋ＋１）とのそれぞれで、Ｉ成分信号ＰＬＩ１及びＱ成分信号ＰＬＱ１ごとにシンボル周期で同相加算する。すなわち、２つの個別パイロットブロック（ＤＰＬｋ−２，ＤＰＬｋ−１）について、Ｉ成分信号ＰＬＩ１及びＱ成分信号ＰＬＱ１ごとにシンボル周期で同相加算するとともに、２つの個別共通パイロットブロック（ＤＰＬｋ，ＤＰＬｋ＋１）について、Ｉ成分信号ＰＬＩ１及びＱ成分信号ＰＬＱ１ごとにシンボル周期で同相加算する。
一方、信号対（ＰＬＩ２，ＰＬＱ２）を受信した同相加算部２４２では、同相加算部２４２と同様に、Ｉ成分信号ＰＬＩ２及びＱ成分信号ＰＬＱ２ごとに、複数のスロットにわたってシンボル周期で同相加算する。
同相加算部２４１による同相加算結果（ＩＡＩ１，ＩＡＱ１）は、電力平均算出器２５１に供給される。また、同相加算部２４２による同相加算結果（ＩＡＩ２，ＩＡＱ２）は、電力平均算出器２５２に供給される。
電力平均算出器２５１では、まず、受信した同相加算結果のＩ成分ＩＡＩ１及びＱ成分ＩＡＱ１から信号電力を算出する。そして、電力平均算出器２５１は、算出された信号電力をシンボル周期で巡回積分することにより、シンボル周期で対応するサンプル信号の信号電力平均を算出する。例えば、図１２に示されるような、４スロット分の信号電力平均（ＡＶＰ）を算出する。そして、算出された信号電力平均ＡＶＰ１は、電力平均算出器２５１から遅延プロファイル生成部２６のメモリ２６１へ向けて出力される。
一方、電力平均算出器２５２では、電力平均算出器２５１と同様に、受信した同相加算結果のＩ成分ＩＡＩ２及びＱ成分ＩＡＱ２から信号電力を算出した後、シンボル周期で対応するサンプル信号の信号電力平均を算出する。そして、算出された信号電力平均ＡＶＰ２は、電力平均算出器２５２から遅延プロファイル生成部２６のメモリ２６２へ向けて出力される。
以後、部分共通パイロットブロックＰＣＢに着目した場合と同様にして、遅延プロファイル生成部２６において、アンテナＡ１から送信された信号に応じた受信信号の遅延プロファイルＤＰＦ１が生成されるとともに、アンテナＡ２から送信された信号に応じた受信信号の遅延プロファイルＤＰＦ２が生成される。そして、アンテナＡ１及びアンテナＡ２についての遅延プロファイルＤＰＦ１，ＤＰＦ２に基づいて、遅延プロファイル合成部２７が、マルチパス選択用遅延プロファイルを合成する。次いで、遅延プロファイル合成部２７は、マルチパス選択用遅延プロファイルをＭＰＵバスＢ２及びＭＰＵインターフェース１２を介してＭＰＵ８６に報告する。
次に、ＭＰＵ８６は、部分共通パイロットに着目した場合と同様にして、マルチパス選択を行うことにより、ＲＡＫＥ合成をすべきマルチパス（すなわち、マルチパスのタイミング）を求める。引き続き、ＭＰＵ８６は、求められたマルチパスを、制御チャンネル受信部４及びトラフィックチャンネル受信部６に、ＲＡＫＥ合成すべきマルチパスとして通知する。そして、制御チャンネル受信部４及びトラフィックチャンネル受信部６では、通知されたマルチパスに応じたタイミングで受信した信号のＲＡＫＥ合成を行う。
以上説明したように、本実施形態によれば、逆拡散部２２によって得られた受信信号の逆拡散信号を、同相化部２３が、送信アンテナＡ１，Ａ２それぞれ個別に割り当てられたパイロットシンボルパターンごとの複素共役パターンそれぞれとの複素積を算出することにより、逆拡散信号のパイロットブロックを複数の送信アンテナごとに分離する。そして、遅延プロファイル生成部２６が、分離された信号を用いて前記複数の送信アンテナそれぞれから送信された信号ごとに遅延プロファイルを生成した後、遅延プロファイル合成部２７がマルチパス選択用遅延プロファイルを合成する。そして、ＭＰＵ８６が、マルチパス選択用遅延プロファイルに基づいてマルチパス選択を行う。したがって、送信ダイバーシチ方式を採用したＤＳ−ＣＤＭＡシステムにおいて、高精度のパスサーチを行うことができる。
また、分離された信号それぞれのパイロットブロックの同相成分及び直交成分ごとに、連続する複数のスロットにわたり、パイロットブロックの各シンボル間で互いに対応するサンプル位置の信号値を同相加算し、その信号を求める。この後、シンボル周期で信号電力平均を算出し、この算出された信号電力平均に基づいて、遅延プロファイルを生成する。したがって、背景ノイズや干渉成分の影響を低下させることができる。
また、本実施形態の携帯電話端末１００は、送信ダイバーシチ方式に応じた高精度のパスサーチを行うことができるパスサーチ部３を備えるので、高精度のパスサーチ結果に基づいてＲＡＫＥ受信することにより、受信品質を向上することができる。
なお、上記の実施形態では、部分共通パイロットブロック及び個別パイロットブロックのいずれかのみに着目してパスサーチを行うことも可能であるし、着目するパイロットブロックを時間順次に、部分共通パイロットブロック及び個別パイロットブロックの一方から他方へ切り替えるようにすることも可能である。
また、逆拡散部２２から遅延プロファイル生成部におけるメモリまでを、部分共通パイロットブロックに基づくパスサーチ及び個別パイロットブロックに基づくパスサーチごとに用意することとして、部分共通パイロットブロック及び個別パイロットブロックの双方に着目したパスサーチを同時に行うようにすることも可能である。
また、上記の実施形態では、共通パイロットブロックの一部を利用してパスサーチを行うこととしたが、共通パイロットブロックの全てを利用してパスサーチを行うこともできる。さらに、上記の実施形態では、個別パイロットブロックの全てを利用してパスサーチを行うこととしたが、個別パイロットブロックの一部を利用してパスサーチを行うこともできる。
また、上記の実施形態では、逆拡散部２２が、相関演算のための資源としてマッチトフィルタを備える構成としたが、マッチトフィルタに代えて複数の相関器を備える構成とすることもできる。
また、同相加算を行うスロット数や信号電力平均の算出対象とするスロット数は、複数であればいくつであってもよい。
また、上記の実施形態では、マルチパス選択をＭＰＵ８６が行うこととしたが、ＤＳＰ８７がマルチパス選択を行うようにしてもよい。
《第２の実施形態》
次に、本発明の第２の実施形態について説明する。本実施形態の携帯電話端末は、第１の実施形態の場合と比べて、パスサーチ部の構成のみが相違している。そこで、この点に主に着目して、以下の説明を行う。なお、第１の実施形態の場合と同一又は同等の要素には、同一の符号を付し、重複する説明を省略する。
本実施形態のパスサーチ部３は、図１３に示されるように、第１の実施形態と同様に、（ａ）Ａ／Ｄ変換部１から出力された受信信号ＲＳＤ（ＲＤＩ，ＲＤＱ）を一旦蓄積する入力バッファ２１と、（ｂ）入力バッファ２１から出力されたＩ成分受信信号ＲＤＩ及びＱ成分受信信号ＲＤＱをそれぞれ個別に逆拡散する逆拡散部２２と、（ｃ）逆拡散部２２から出力されたＩ成分逆拡散信号ＩＳＩ及びＱ成分逆拡散信号ＩＳＱのパイロットブロックにおける基地局ＢＳのアンテナＡ１，Ａ２ごとの変調成分を除去するとともに、アンテナＡ１に対応するＩ成分信号ＰＬＩ１及びＱ成分信号ＰＬＱ１、並びにアンテナＡ２に対応するＩ成分信号ＰＬＩ２及びＱ成分信号ＰＬＱ２を出力する同相化部２３とを備えている。
また、パスサーチ部３は、（ｄ）Ｉ成分信号ＰＬＩ１及びＱ成分信号ＰＬＱ１の信号電力平均を算出する電力平均算出器２５１’、及び、Ｉ成分信号ＰＬＩ２及びＱ成分信号ＰＬＱ２の信号電力平均を算出する電力平均算出器２５２’と、（ｅ）電力平均算出器２５１’による算出結果を格納するメモリ２６１、及び、電力平均算出器２５２’による算出結果を格納するメモリ２６２を有する遅延プロファイル生成部２６と、（ｆ）遅延プロファイル生成部２６により生成された遅延プロファイルに基づいて、マルチパス選択用遅延プロファイルを合成する遅延プロファイル合成部２７とを更に備えている。
本実施形態のパスサーチ部３は、ＭＰＵ８６の制御のもとで、以下のようにしてパスサーチを行う。
前提として、携帯電話端末１００の電源投入後におけるセルサーチ部２によるセルサーチ動作は終了しているものとする。そして、パスサーチ部３には、セルサーチ部２から無線リンクを接続すべき基地局の下りリンクについてのスロット同期タイミング及びフレーム同期タイミングが供給されているものとする。
まず、部分共通パイロットブロックＰＣＢに着目したパスサーチ動作について説明する。かかる部分共通パイロットブロックＰＣＢに着目したパスサーチを行うときには、第１の実施形態の場合と同様に、ＭＰＵ８６が、ＭＰＵインターフェース１２及びＭＰＵバスＢ２を介して、選択指令信号ＳＭＣにより、部分共通パイロットブロックＰＣＢによるパスサーチを行うべき旨を上述した拡散部２２及び同相化部２３へ向けて通知する。
この状態で、パスサーチ部３に受信信号対（ＲＤＩ，ＲＤＱ）が入力すると、まず、入力バッファ２１に受信信号対（ＲＤＩ，ＲＤＱ）が一時的に蓄積される。この入力バッファ２１から出力された受信信号対（ＲＤＩ，ＲＤＱ）を逆拡散部２２が受信すると、逆拡散部２２では、第１の実施形態の場合と同様にして、基準タイミングやセルサーチ部２から供給された制御信号ＣＴＲＬＳ２（スロット同期タイミング、フレーム同期タイミング）を使用して、受信信号対（ＲＤＩ，ＲＤＱ）と逆拡散用符号信号対（ＣＳＣＩ，ＣＳＣＱ）との相関がマッチトフィルタ３１により算出される。そして、相関算出結果が、逆拡散信号対（ＩＳＩ，ＩＳＱ）として、逆拡散部２２から同相化部２３へ向けて出力される。
逆拡散信号対（ＩＳＩ，ＩＳＱ）を受信した同相化部２３では、第１の実施形態の場合と同様にして、逆拡散信号対（ＩＳＩ，ＩＳＱ）と信号対（ＣＣＰＩ１，ＣＣＰＱ１）との複素積が、複素積演算部２３１において算出される。また、同相化部２３では、逆拡散信号対（ＩＳＩ，ＩＳＱ）と信号対（ＣＣＰＩ２，ＣＣＰＱ２）との複素積が、複素積演算部２３２において算出される。こうして、アンテナＡ１用に抽出された結果が、信号対（ＰＬＩ１，ＰＬＱ１）として、第１信号抽出部２３１から信号電力平均算出部２５１’へ向けて出力されるとともに、アンテナＡ２用に抽出された結果が、信号対（ＰＬＩ２，ＰＬＱ２）として、第２信号抽出部２３２から信号電力平均算出部２５２’へ向けて出力される。
信号対（ＰＬＩ１，ＰＬＱ１）を受信した信号電力平均算出部２５１’では、受信した信号対（ＰＬＩ１，ＰＬＱ１）の信号電力を算出する。そして、電力平均算出器２５１’は、算出された信号電力をシンボル周期で巡回積分することにより、シンボル周期で対応するサンプル信号の信号電力平均ＡＶＰ１を算出する。例えば、図１４に示されるような、４スロット分の信号電力平均（ＡＶＰ）を算出する。そして、算出された信号電力平均ＡＶＰ１は、電力平均算出器２５１’から遅延プロファイル生成部２６のメモリ２６１へ向けて出力される。
一方、信号対（ＰＬＩ２，ＰＬＱ２）を受信した電力平均算出器２５２’は、電力平均算出器２５１’と同様に、信号対（ＰＬＩ２，ＰＬＱ２）の信号電力を算出した後、シンボル周期で対応するサンプル信号の信号電力平均ＡＶＰ２を算出する。そして、算出された信号電力平均ＡＶＰ２は、電力平均算出器２５２’から遅延プロファイル生成部２６のメモリ２６２へ向けて出力される。
遅延プロファイル生成部２６では、第１の実施形態の場合と同様に、メモリ２６１に時間順次にサンプル信号の信号電力平均を格納することにより、アンテナＡ１から送信された信号に応じた受信信号の遅延プロファイルＤＰＦ１を生成する。また、遅延プロファイル生成部２６では、メモリ２６２に時間順次にサンプル信号の信号電力平均を格納することにより、アンテナＡ２から送信された信号の受信信号の遅延プロファイルＤＰＦ２を生成する。
以上のようにして合成されたアンテナＡ１及びアンテナＡ２についての遅延プロファイルＤＰＦ１，ＤＰＦ２に基づいて、遅延プロファイル合成部２７が、第１の実施形態の場合と同様に、マルチパス選択用遅延プロファイルを合成して、ＭＰＵ８６に報告する。そして、ＭＰＵ８６は、第１の実施形態の場合と同様にして、マルチパス選択を行い、ＲＡＫＥ合成をすべきマルチパス（すなわち、マルチパスのタイミング）を求める。
以後、ＭＰＵ８６が、求められたマルチパスを、制御チャンネル受信部４及びトラフィックチャンネル受信部６に、ＲＡＫＥ合成すべきマルチパスとして通知する。そして、制御チャンネル受信部４及びトラフィックチャンネル受信部６では、通知されたマルチパスに応じたタイミングで受信した信号のＲＡＫＥ合成を行う。
次に、個別パイロットブロックＤＰＢに着目したパスサーチ動作について説明する。かかる個別パイロットブロックＤＰＢに着目したパスサーチを行うときには、第１の実施形態の場合と同様に、ＭＰＵ８６が、ＭＰＵインターフェース１２及びＭＰＵバスＢ２を介して、選択指令信号ＳＭＣにより、個別パイロットブロックＤＰＢによるパスサーチを行うべき旨を逆拡散部２２及び同相化部２３へ向けて通知する。
この状態で、パスサーチ部３に受信信号対（ＲＤＩ，ＲＤＱ）が入力すると、まず、入力バッファ２１に受信信号対（ＲＤＩ，ＲＤＱ）が一時的に蓄積される。この入力バッファ２１から出力された受信信号対（ＲＤＩ，ＲＤＱ）を逆拡散部２２が受信すると、逆拡散部２２では、第１の実施形態の場合と同様にして、基準タイミングやセルサーチ部２から供給された制御信号ＣＴＲＬＳ２（スロット同期タイミング、フレーム同期タイミング）を使用して、受信信号対（ＲＤＩ，ＲＤＱ）と逆拡散用信号対（ＤＳＣＩ，ＤＳＣＱ）との相関がマッチトフィルタ３１により算出される。そして、相関算出結果が、逆拡散信号対（ＩＳＩ，ＩＳＱ）として、逆拡散部２２から同相化部２３へ向けて出力される。
逆拡散信号対（ＩＳＩ，ＩＳＱ）を受信した同相化部２３では、第１の実施形態の場合と同様にして、逆拡散信号対（ＩＳＩ，ＩＳＱ）と信号対（ＤＣＰＩ１，ＤＣＰＱ１）との複素積和が、複素積演算部２３１において算出される。また、逆拡散信号対（ＩＳＩ，ＩＳＱ）と信号対（ＤＣＰＩ２，ＤＣＰＱ２）との複素積和が、複素積演算部２３２において算出される。こうして、アンテナＡ１用に処理された結果が、信号対（ＰＬＩ１，ＰＬＱ１）として、第１信号抽出部２３１から信号電力平均算出部２５１’へ向けて出力されるとともに、アンテナＡ２用に処理された結果が、信号対（ＰＬＩ２，ＰＬＱ２）として、第２信号抽出部２３２から信号電力平均算出部２５２’へ向けて出力される。
信号対（ＰＬＩ１，ＰＬＱ１）を受信した信号電力平均算出部２５１’では、受信した信号対（ＰＬＩ１，ＰＬＱ１）の信号電力を算出する。そして、電力平均算出器２５１’は、算出された信号電力をシンボル周期で巡回積分することにより、シンボル周期で対応するサンプル信号の信号電力平均ＡＶＰ１を算出する。例えば、図１５に示されるような、４スロット分の信号電力平均（ＡＶＰ）を算出する。そして、算出された信号電力平均ＡＶＰ１は、電力平均算出器２５１’から遅延プロファイル生成部２６のメモリ２６１へ向けて出力される。
一方、信号対（ＰＬＩ２，ＰＬＱ２）を受信した電力平均算出器２５２’では、電力平均算出器２５１’と同様に、信号対（ＰＬＩ２，ＰＬＱ２）の信号電力を算出した後、シンボル周期で対応するサンプル信号の信号電力平均ＡＶＰ２を算出する。そして、算出された信号電力平均ＡＶＰ２は、電力平均算出器２５２’から遅延プロファイル生成部２６のメモリ２６２へ向けて出力される。
遅延プロファイル生成部２６では、第１の実施形態の場合と同様に、メモリ２６１に時間順次にサンプル信号の信号電力平均ＡＶＰ１を格納することにより、アンテナＡ１から送信された信号に応じた受信信号の遅延プロファイルＤＰＦ１を生成する。また、遅延プロファイル生成部２６では、メモリ２６２に時間順次にサンプル信号の信号電力平均ＡＶＰ２を格納することにより、アンテナＡ２から送信された信号に応じた受信信号の遅延プロファイルＤＰＦ２を生成する。
以上のようにして生成されたアンテナＡ１及びアンテナＡ２についての遅延プロファイルＤＰＦ１，ＤＰＦ２に基づいて、遅延プロファイル合成部２７が、第１の実施形態の場合と同様に、マルチパス選択用遅延プロファイルを合成して、ＭＰＵ８６に報告する。そして、ＭＰＵ８６は、第１の実施形態の場合と同様にして、マルチパス選択を行い、ＲＡＫＥ合成をすべきマルチパス（すなわち、マルチパスのタイミング）を求める。
以後、ＭＰＵ８６が、求められたマルチパスを、制御チャンネル受信部４及びトラフィックチャンネル受信部６に、ＲＡＫＥ合成すべきマルチパスとして通知する。そして、制御チャンネル受信部４及びトラフィックチャンネル受信部６では、通知されたマルチパスに応じたタイミングで受信した信号のＲＡＫＥ合成を行う。
以上説明したように、本実施形態によれば、逆拡散部２２によって得られた受信信号の逆拡散信号を、同相化部が、送信アンテナＡ１，Ａ２それぞれ個別に割り当てられたパイロットシンボルパターンごとの複素共役パターンそれぞれとの複素積を算出することにより、逆拡散信号のパイロットブロックが複数の送信アンテナごとに分離する。そして、遅延プロファイル生成部２６が、分離された信号を用いて前記複数の送信アンテナそれぞれから送信された信号ごとに遅延プロファイルを生成した後、遅延プロファイル合成部２７がマルチパス選択用遅延プロファイルを合成する。したがって、送信ダイバーシチ方式を採用したＤＳ−ＣＤＭＡシステムにおいて、高精度のパスサーチを行うことができる。
また、本実施形態の携帯電話端末１００は、送信ダイバーシチ方式に応じた高精度のパスサーチを行うことができるパスサーチ部３を備えるので、高精度のパスサーチ結果に基づいてＲＡＫＥ受信することにより、受信品質を向上することができる。
なお、上記の実施形態では、第１の実施形態の場合と同様に、部分共通パイロットブロック及び個別パイロットブロックのいずれかのみに着目してパスサーチを行うことも可能であるし、着目するパイロットブロックを時間順次に、部分共通パイロットブロック及び個別パイロットブロックの一方から他方へ切り替えるようにすることも可能である。
また、第１の実施形態の場合と同様に、逆拡散部２２から遅延プロファイル生成部２６におけるメモリまでを、部分共通パイロットブロックに基づくパスサーチ及び個別パイロットブロックに基づくパスサーチごとに用意することとして、部分共通パイロットブロック及び個別パイロットブロックの双方に着目したパスサーチを同時に行うようにすることも可能である。
また、第１の実施形態の場合と同様に、共通パイロットブロックの全てを利用してパスサーチを行うこともできるし、また、個別パイロットブロックの一部を利用してパスサーチを行うこともできる。
また、第１の実施形態の場合と同様に、逆拡散部２２が、相関演算のために複数の相関器を備える構成とすることもできる。
また、第１実施形態の場合と同様に、ＤＳＰ８７がマルチパス選択を行うようにしてもよい。
産業上の利用可能性
本発明のパスサーチ方法及びパスサーチ装置によれば、送信ダイバーシチが採用されたＤＳ−ＣＤＭＡシステムにおいて、高精度のパスサーチを行うことができる。したがって、本発明のパスサーチ方法及びパスサーチ装置は、基地局における送信ダイバーシチが採用されたＤＳ−ＣＤＭＡシステムのマルチパス環境での移動局における使用に適している。
また、本発明の移動体通信端末装置は、本発明のパスサーチ装置による高精度のパスサーチの結果に基づいてＲＡＫＥ合成を行うことができるので、高品質な受信を行うことができる。
【図面の簡単な説明】
図１は、第１の実施形態に係る移動体端末装置が含まれるＤＳ−ＣＤＭＡシステムの概念図である。
図２は、下り個別物理チャンネルの無線フレーム構成を示す図である。
図３は、ＳＴＴＤ方式の送信ダイバーシチにおいて、第１アンテナからの送信パターンと第２アンテナからの送信パターンとの関係を示す図である。
図４は、共通パイロットチャンネルを介して基地局から移動体端末装置へ送信される無線フレームの構成を示す図である。
図５は、ＳＴＴＤ方式の送信ダイバーシチにおいて、第１アンテナから送信される共通パイロットチャンネルの送信パイロットパターンと、第２アンテナから送信される共通パイロットチャンネルの送信パイロットパターンとの関係を示す図である。
図６は、図１の移動体端末装置の構成を概略的に示すブロック構成図である。
図７は、図６のベースバンド信号処理部の構成を概略的に示すブロック構成図である。
図８は、図７のパスサーチ部の構成を概略的に示すブロック構成図である。
図９は、図８の逆拡散部の構成を示すブロック構成図である。
図１０は、図８の同相化部の構成を示すブロック構成図である。
図１１は、第１の実施形態における部分共通パイロットブロックの信号電力平均処理の概念図である。
図１２は、第１の実施形態における個別パイロットブロックの信号電力平均処理の概念図である。
図１３は、第２の実施形態パスサーチ部の構成を概略的に示すブロック構成図である。
図１４は、第２の実施形態における部分共通パイロットブロックの信号電力平均処理の概念図である。
図１５は、第２の実施形態における個別パイロットブロックの信号電力平均処理の概念図である。
【図１】
2002058265.tif 000003
【図２】
2002058265.tif 000004
【図３】
2002058265.tif 000005
【図４】
2002058265.tif 000006
【図５】
2002058265.tif 000007
【図６】
2002058265.tif 000008
【図７】
2002058265.tif 000009
【図８】
2002058265.tif 000010
【図９】
2002058265.tif 000011
【図１０】
2002058265.tif 000012
【図１１】
2002058265.tif 000013
【図１２】
2002058265.tif 000014
【図１３】
2002058265.tif 000015
【図１４】
2002058265.tif 000016
【図１５】
2002058265.tif 000017
【国際調査報告】
2002058265.tif 000018
2002058265.tif 000019
2002058265.tif 000020
2002058265.tif 000021